(57)【要約】【課題】遊技に特殊性を与えることで遊技に緊迫性を持たせるようにして飽きのこない遊技が楽しめる構成を備えた遊技機を提供する。【解決手段】遊技盤３の盤面３ａに遊技球が流下する遊技領域６を有し、当該遊技領域６を流下する遊技球を受け入れて下方に配設された入球口の上部に流下可能とするステージ３２を備え、盤面３ａよりも背面側に窪み、かつ、上方がステージ３２に向かって開口する凹部３３を形成する。当該凹部３３内に、ステージ３２より流下する遊技球の入球を可能とする第１入球口５２を有する第１入賞部５１を設けると共に、盤面３ａ上であって、第１入賞部５１よりも鉛直方向下方に、ステージ３２より流下して第１入球口５２に入球しなかった遊技球の入球を可能とする第２入球口６２を有する第２入賞部６１を設けることにより、二段式入賞装置６０を備える遊技機１００とする。【選択図】図２
2007097734.tif 000002
【特許請求の範囲】
【請求項１】
遊技盤の盤面に遊技球が流下する遊技領域を有し、当該遊技領域を流下する遊技球を受け入れて下方に配設された入球口の上部に流下可能とするステージを備える遊技機であって、
前記盤面よりも背面側に窪み、かつ、上方が前記ステージに向かって開口する凹部内に設けられ、前記ステージより流下する遊技球の入球を可能とする第１入球口を有する第１入賞部と、
前記盤面上であって、前記第１入賞部よりも鉛直方向下方に設けられ、前記ステージより流下して前記第１入球口に入球しなかった遊技球の入球を可能とする第２入球口を有する第２入賞部と、
からなる二段式入賞装置を備えることを特徴とする遊技機。
【請求項２】
請求項１に記載の遊技機において、
前記第２入賞部は、鉛直方向下方に並列して二つ設けられていることを特徴とする遊技機。
【請求項３】
請求項１又は２に記載の遊技機において、
前記第１入賞部及び／又は前記第２入賞部は、
前記入球口の端部に設けられ、通常位置と、前記通常位置より入球口への開口を拡張する開放位置とに揺動移動する一対の揺動誘導部材と、
該揺動誘導部材を揺動駆動する揺動駆動手段と、
をそれぞれ有することを特徴とする遊技機。
【請求項４】
請求項１から３の何れか１つに記載の遊技機において、
前記第１入賞部は、
前記第１入球口に連続する第１導球路と、
該第１導球路の後端に形成された第１排球孔を有し、
前記第２入賞部は、
前記第２入球口に連続する第２導球路と、
該第２導球路の後端に形成された第２排球孔を有し、
前記第１排球孔及び前記第２排球孔の各出口側には、遊技球の通過を検知するセンサがそれぞれ設けられていることを特徴とする遊技機。
【請求項５】
請求項４に記載の遊技機において、
前記第１排球孔と前記第２排球孔は、鉛直方向整合しない位置に形成されていることを特徴とする遊技機。
【請求項６】
請求項１から３の何れか１つに記載の遊技機において、
前記第１入賞部は、
前記第１入球口に連続する第１導球路と、
該第１導球路の後端に形成された第１排球孔を有し、
前記第２入賞部は、
前記第２入球口に連続する第２導球路と、
該第２導球路の後端であって、前記第１排球孔とは鉛直方向整合する位置に形成された第２排球孔を有し、
前記第１排球孔と前記第２排球孔の共通する出口側には、遊技球の通過を検知する共有センサが設けられていることを特徴とする遊技機。
【発明の詳細な説明】
【技術分野】
【０００１】
本発明は、遊技機に係り、詳しくは、遊技盤の盤面に遊技球が流下する遊技領域を有し、当該遊技領域を流下する遊技球を受け入れて下方に配設された入球口の上部に流下可能とするステージを備える遊技機に関するものである。
【背景技術】
【０００２】
周知のように、弾球遊技の代表的なものであるパチンコ遊技においては、パチンコ遊技機に装備されている遊技盤面の遊技領域に設けられている各種入賞口にパチンコ球が入賞すると、その入賞口に設定されている所定数の賞球が払出されるようになっている。
パチンコ遊技機においては、遊技盤中央に液晶パネルなどを用いた図柄変動表示装置が設けられ、かつ、遊技盤の中央下部に始動入賞口が設けられたものがあり、この始動入賞口への遊技球の入賞に応じて大当たりの当落を抽選する特別抽選が行われ、その抽選状態や抽選結果などの図柄を上記図柄変動表示装置に変動表示する弾球遊技機がある。
【０００３】
パチンコ遊技機においては、発射装置から打ち出された遊技球がレールに沿って遊技盤上部に移動した後、流下する過程で各種釘に当たるとその移動方向を変えられて役物に投入され、或はそのまま流下してアウト球として回収される。 
役物に入った場合には、その役物が始動入賞口であるとすると、複数の図柄や記合を変動表示可能な表示部が始動され、例えば、図柄や記合が一定の組み合わせにそろった場合あるいは一定の条件を満たした場合に遊技盤面に設けてある大入賞口を開放して多くの賞球が払い出される。
【０００４】
ところで、従来のパチンコ遊技には、上述したように遊技球が流下するのを漫然と眺めることが多く、遊技の緊張度としては役物への投入の有無に限られていた。 
そこで、従来では、遊技に緊迫感を持たせる構成として、始動入賞口に投入された際の変動表示内容が大入賞口の開放に繋がる予測をさせる場合に遊技盤を振動させるようにして期待性や緊迫感を与える構成が提案されている（例えば、特許文献１）。
【０００５】
一方、遊技球の弾道は発射装置から打ち出された遊技球がレール部材に沿って移動することで概ね設定されるが、遊技盤に設けられるレール飾りにより遊技盤面の表面の一部を覆い隠せる場合とレール部材を露呈する場合とが切り換えられるようにして覆い隠した場合に遊技球の打ち出し位置が予測できないようにした構成も提案されている（例えば、特許文献２）。
しかし、前記各特許文献にあっては、いずれの場合も打ち出された遊技球の挙動は従来と同じように流下過程での釘との衝突あるいはそのままの流下であるので、遊技者にとってさほど遊技の特殊性を期待することはできない。 
【特許文献１】特開２００４−４１８１６号公報（段落「０００６」欄）
【特許文献２】特開平１１−４９３５号公報（段落「０００４」欄）
【発明の開示】
【発明が解決しようとする課題】
【０００６】
本発明は、上記事情に鑑みて成されたものであり、遊技に特殊性を与えることで遊技に緊迫性を持たせるようにして飽きのこない遊技が楽しめる構成を備えた遊技機を提供することを目的としている。
【課題を解決するための手段】
【０００７】
以上のような問題を解決するため、本発明は以下の構成を有している。
本発明の請求項１に係る遊技機は、遊技盤の盤面に遊技球が流下する遊技領域を有し、当該遊技領域を流下する遊技球を受け入れて下方に配設された入球口の上部に流下可能とするステージを備える遊技機であって、前記盤面よりも背面側に窪み、かつ、上方が前記ステージに向かって開口する凹部内に設けられ、前記ステージより流下する遊技球の入球を可能とする第１入球口を有する第１入賞部と、前記盤面上であって、前記第１入賞部よりも鉛直方向下方に設けられ、前記ステージより流下して前記第１入球口に入球しなかった遊技球の入球を可能とする第２入球口を有する第２入賞部と、からなる二段式入賞装置を備えることを特徴とする。
【０００８】
また、本発明の請求項２に係る遊技機は、請求項１に係る遊技機において、前記第２入賞部は、鉛直方向下方に並列して二つ設けられていることを特徴とする。
【０００９】
また、本発明の請求項３に係る遊技機は、請求項１又は２に係る遊技機において、前記第１入賞部及び／又は前記第２入賞部は、前記入球口の端部に設けられ、通常位置と、前記通常位置より入球口への開口を拡張する開放位置とに揺動移動する一対の揺動誘導部材と、該揺動誘導部材を揺動駆動する揺動駆動手段と、をそれぞれ有することを特徴とする。
【００１０】
また、本発明の請求項４に係る遊技機は、請求項１から３の何れか１つに記載の遊技機において、前記第１入賞部は、前記第１入球口に連続する第１導球路と、該第１導球路の後端に形成された第１排球孔を有し、前記第２入賞部は、前記第２入球口に連続する第２導球路と、該第２導球路の後端に形成された第２排球孔を有し、前記第１排球孔及び前記第２排球孔の各出口側には、遊技球の通過を検知するセンサがそれぞれ設けられていることを特徴とする。
【００１１】
また、本発明の請求項４に係る遊技機は、請求項４に記載の遊技機において、前記第１排球孔と前記第２排球孔は、鉛直方向整合しない位置に形成されていることを特徴とする。
【００１２】
さらに、本発明の請求項４に係る遊技機は、請求項１から３の何れか１つに記載の遊技機において、前記第１入賞部は、前記第１入球口に連続する第１導球路と、該第１導球路の後端に形成された第１排球孔を有し、前記第２入賞部は、前記第２入球口に連続する第２導球路と、該第２導球路の後端であって、前記第１排球孔とは鉛直方向整合する位置に形成された第２排球孔を有し、前記第１排球孔と前記第２排球孔の共通する出口側には、遊技球の通過を検知する共有センサが設けられていることを特徴とする。
【発明の効果】
【００１３】
請求項１に記載の発明によれば、遊技球が流下する遊技領域を有する遊技盤の盤面よりも背面側に窪み、かつ、前記遊技領域を流下する遊技球を受け入れて下方に配設された入球口の上部に流下可能とするステージに向かって上方が開口する凹部内に、前記ステージより流下する遊技球の入球を可能とする第１入球口を有する第１入賞部が設けられ、また、前記盤面上であって、前記第１入賞部よりも鉛直方向下方に前記ステージより流下して前記第１入球口に入球しなかった遊技球の入球を可能とする第２入球口を有する第２入賞部が設けられた二段式入賞装置を備えるので、各段で順に遊技球を受けることができ、第１入賞部だけでなく、当該第１入賞部よりも下側に配置された第２入賞部を遊技球が通過するまで遊技者に入賞の期待感を持たせることができる。
すなわち、ステージから落下した遊技球を第１入賞部に入球させるように導く流路と、ステージから落下し第１入賞部に入球せず落下してしまった遊技球を第２入賞部に入球させるように導く流路とが形成されているので、ステージから落下する遊技球の入賞部への入賞確率が一段と高められ、遊技者の遊技への緊張感・興趣性を高めることができる。
したがって、従来のような単調さが解消され、今までにない斬新な遊技を楽しむことができる。
【００１４】
請求項２に記載の発明によれば、第２入賞部は、直方向下方に並列して二つ設けられているので、ステージから落下する遊技球の遊技面での挙動を変化させ、当該遊技球を入賞部に入球させるように導く流路を増加し、ステージから落下する遊技球の入賞部への入賞確率をより一段と高めるものとすることができる。
したがって、遊技者はより変化に富んだ期待感を持たせる遊技を楽しむことができることになる。
【００１５】
請求項３記載の発明によれば、第１入賞部及び／又は第２入賞部は、入球口の端部に設けられ、通常位置と、前記通常位置より入球口への開口を拡張する開放位置とに揺動移動する一対の揺動誘導部材と、当該揺動誘導部材を揺動駆動する揺動駆動手段と、をそれぞれ有するので、遊戯球に対する作用が変化し、興趣性が一層向上するものとなる。 
【００１６】
請求項４に記載の発明によれば、第１入賞部は、第１入球口に連続する第１導球路と、当該第１導球路の後端に形成された第１排球孔を有し、第２入賞部は、第２入球口に連続する第２導球路と、当該第２導球路の後端に形成された第２排球孔を有し、さらに、第１排球孔及び第２排球孔の各出口側には、遊技球の通過を検知するセンサがそれぞれ設けられているので、各入球口への入球に起因する制御内容や動作をそれぞれ個別に異なるものとすることができる。
【００１７】
請求項５に記載の発明によれば、第１排球孔と前記第２排球孔は、鉛直方向整合しない位置に形成されているので、上方に位置する第１入賞部の排球孔より排出した遊技球が、下方に位置する第２入賞部の導球路や排球孔に当たるなどの不都合が抑制され、確実に遊技球を回収することができるものとなる。
【００１８】
請求項６に記載の発明によれば、第１入賞部は、第１入球口に連続する第１導球路と、当該第１導球路の後端に形成された第１排球孔を有し、第２入賞部は、第２入球口に連続する第２導球路と、当該第２導球路の後端であって、前記第１排球孔とは鉛直方向整合する位置に形成された第２排球孔を有し、さらに、第１排球孔と第２排球孔の共通する出口側には、遊技球の通過を検知する共有センサが設けられているので、第２入賞部の排球孔より排出した遊技球が共有センサによって通過が検知されるだけでなく、上方に位置する第１入賞部の排球孔より排出した遊技球も、下方に位置する第２入賞部の排球孔より排出されることで、共有センサによって通過が検知されることになる。したがって、どちらの入球口に入球した遊技球であっても１つのセンサで効率良く検知することができ、非常に経済的な構成とすることができる。
【発明を実施するための最良の形態】
【００１９】
以下、図面に基づき本発明を実施するための最良の形態ついて説明する。
図１は、本実施形態の遊技機の一例を示す斜視図である。以下、本明細書において、遊技時に遊技者が位置する側、すなわち遊技機の遊技面と対峙する側を前面又は前側として表現し、遊技者の位置に対して反対側を後面又は後側とする。
図１に示すように、本実施形態の遊技機に相当するパチンコ遊技機１００は、外郭方形枠サイズに形成された縦長の固定保持枠を構成する外枠１と、前記外枠１の開口前面にて開閉自在に装着された前枠２とを備えている。なお、本実施形態では、遊技機をパチンコ遊技機として説明するが、本発明はこれに限らず、アレンジボール遊技機、雀球遊技機など、遊技球を使用するパチンコ遊技機以外の遊技機であっても良い。
【００２０】
前枠２は、外枠１の正面右側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。また、前枠２の前面側には、透視可能な覆い部材２Ａを保持する覆い部材支持枠１２が配置され、その内側には、遊技盤３が収容支持されている。
前枠２の前面下部側で覆い部材支持枠１２の下方には、球受け皿を構成している皿ユニットＤＵが背面板（図示されず）に設けられており、背面板は前枠２に対して開閉支持され、通常は図示しない施錠装置４により閉鎖状態に保持されている。
皿ユニットＤＵには、遊技球が存在する皿部８だけでなく、皿部８の正面右側下部には発射ハンドルが、そして正面左側下部には灰皿などが設けられている。
【００２１】
遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
遊技領域６には、略中央部に表示部６ａが設けてあり、表示部６ａとしては、たとえば液晶表示装置（以下、液晶表示装置を符号６ａで示す）が用いられる。この液晶表示装置６ａの周りには装飾部材が配置されている。
【００２２】
液晶表示装置６ａの下端前側には、遊技領域６を流下する遊技球を受け入れ、下方に配設された各入球口の上部に流下可能とするステージ３２を備える。
また、液晶表示装置６ａの上方左右には、ステージ入球口３１，３１が設けられ、ステージ入球口３１から取り入れられた遊技球は、ステージ３２の左右両端に開口するステージ排球口３４，３４からステージ３２上へ転入する。一方、液晶表示装置６ａの下方には、始動入賞口としての始動入球口を有する二段式始動入賞装置６０が配置され、さらに、その下方に特別入賞口６ｄ、および左右両側に普通図柄始動口（以下、「始動ゲート」と称する）６ｉなどがそれぞれ配置されている。この始動ゲート６ｉは、遊技球の通過に伴って普通図柄変動表示装置２６４ｄの変動開始を許可する。
さらに、遊技領域６の下部にはアウト球を回収するアウト口６ｅも設けられており、二段式入賞装置６０や特別入賞口６ｄに入賞せずに落下したアウト球を遊技盤３の背面側から機外に排出できるようになっている。
【００２３】
本実施形態の二段式始動入賞装置６０は、たとえば図２に示すように、第１入賞部５１と、第２入賞部６１とをそれぞれ一つずつ備える。第１入賞部５１は、遊技盤３の盤面３ａよりも背面側に窪み、かつ、上方が前記ステージ３２に向かって開口する凹部３３内に設けられ、前記ステージ３２より流下する遊技球の入球を可能とする第１入球口５３を有する。一方、第２入賞部６１は、前記盤面３ａ上であって、前記第１入賞部５１よりも鉛直方向下方に設けられ、前記ステージ３２より流下して前記第１入球口５２に入球しなかった遊技球の入球を可能とする第２入球口６２を有する構成をしている。
【００２４】
第１入賞部と第２入賞部は、単に入球口だけを有するポケット状またはゲート状のものとしても良いが、本実施形態の場合、第１入賞部５１は、始動入球口としての第１入球口５２と、一対の第１揺動誘導片５３，５３と、揺動駆動手段とを少なくとも有し、一方、第２入賞部６１も、始動入球口としての第２入球口６２と、一対の第２揺動誘導片６３，６３と、揺動駆動手段とを少なくとも有し、各揺動誘導片５３，６３は何れも、通常位置と、前記通常位置より始動入球口６２への開口を拡張する開放位置とに揺動移動する、所謂電動チューリップと称されるものとなっている。
【００２５】
この二段式始動入賞装置６０のさらに詳しい構成は、たとえば、図３乃至図６に示すことが出来る。図３乃至図６は、本実施形態のパチンコ遊技機に備える二段式始動入賞装置の構成を示す図である。図３は、第１入賞部と第２入賞部とをそれぞれ一つずつ備える上記実施形態における第１の構成を示す二段式始動入賞装置６０Ａの側面概略図であり、図４は、その平面概略図である。また、図５は、第１入賞部と第２入賞部とをそれぞれ一つずつ備える上記実施形態における第２の構成を示す二段式始動入賞装置６０Ｂの側面概略図であり、図６は、その平面概略図である。
なお、後述する各実施形態においては、上記実施形態と同様の構成部分については同じ符合を用い、その説明は省略することとし、特に説明しない限り同じであるものとする。
【００２６】
まず、図３及び図４に示すように、第一の構成を示す二段式始動入賞装置６０Ａは、第１入賞部５１Ａの背面側に、第１揺動誘導片５３Ａ，５３Ａを、通常位置と、前記通常位置より第１入球口５２Ａへの開口を拡張する開放位置とに揺動移動するように作用する第１ソレノイドユニットＳ１を有する。また、二段式始動入賞装置６０Ａは、第１入球口５２Ａに連続する第１導球路７１２ａと、該第１導球路７１２ａの後端より遊技球を下方へ排出する第１排球孔７１１ａを有する。
第１ソレノイドユニットＳ１の両端には、プランジャに接続された第１揺動部材ＳＡ１，ＳＡ１が下方に突出し、各第１揺動部材ＳＡ１には、連結アーム８１ａの一端が連結されている。この連結アーム８１ａの他端は、第１揺動誘導片５３Ａの回動基端部に接続されている。
【００２７】
一方、第２入賞部６１Ａの背面側には、第２入賞部６１Ａの背面側に、第２揺動誘導片６３Ａ，６３Ａを、通常位置と、前記通常位置より第２入球口６２Ａへの開口を拡張する開放位置とに揺動移動するように作用する第２ソレノイドユニットＳ２を有する。また、二段式始動入賞装置６０Ａは、第２入球口６２Ａに連続する第２導球路７１２ｂと、該第２導球路７１２ｂの後端より下方へ遊技球を排出する第２排球孔７１１ｂを有する。
第２ソレノイドユニットＳ２の両端には、プランジャに接続された第２揺動部材ＳＡ２，ＳＡ２が下方に突出し、各第２揺動部材ＳＡ２には、連結アーム８１ｂの一端が連結されている。この連結アーム８１ｂの他端は、第２揺動誘導片６３Ａの回動基端部に接続されている。
【００２８】
したがって、始動ゲート６ｉへ遊技球が入球すると、抽選によってソレノイドユニットＳ１及び／又はＳ２が作用し、揺動部材ＳＡ１及び／又はＳＡ２が近づく方向に移動することによって連結アーム８１ａ及び／又は８１ｂが回転する。そして、揺動誘導片５３Ａ及び／又は６３Ａが揺動し、始動入球口５２Ａ及び／又は６２Ａの開口が拡張される。すなわち各揺動誘導片５３Ａ，６３Ａの開口の拡張及び収縮は、従来のように各揺動誘導片５３Ａ，６３Ａの基端部と連絡された各連結アーム８１ａ，８１ｂを軸方向に回転操作することで達成される。
【００２９】
また、第１入賞部５１Ａの第１入球口５２Ａに連続する第１導球路７１２ａの後端に形成された第１排球孔７１１ａと、第２入賞部６１Ａの第２入球口６２Ａに連続する第２導球路７１２ｂの後端に形成された第２排球孔７１１ｂとは、互いに鉛直方向整合する位置に形成されており、第１排球孔７１１ａと第２排球孔７１１ｂの共通する出口側には、遊技球の通過を検知する共有センサＳＥが設けられている。
【００３０】
本実施形態の二段式始動入賞装置６０Ａでは、入球口が二つ設けられているので、始動ゲート６ｉへの入球による抽選は大きく分けて２種類となる。一つは、第１入球口５２Ａの端部に設けられた第１揺動誘導片５３Ａの開口を所定時間拡張させるか否か決めるものであり、もう一つは、第２入球口６２Ａの端部に設けられた第２揺動誘導片６３Ａの開口を所定時間拡張させるか否か決めるものである。
したがって、始動ゲート６ｉへの入球による抽選の結果、１）第１揺動誘導片５３Ａの開口を所定時間拡張させる場合、２）第２揺動誘導片６３Ａの開口を所定時間拡張させる場合、３）第１揺動誘導片５３Ａ及び第２揺動誘導片６３Ａの開口を共に所定時間拡張させる場合、４）第１揺動誘導片５３Ａ及び第２揺動誘導片６３Ａの開口を何れも拡張しない場合、など種々のパターンが所定の条件で実施される。
【００３１】
このように、上記構成の二段式始動入賞装置６０Ａは、共有センサＳＥを有するので、第１入賞部５１Ａまたは第２入賞部６１Ａの何れの入球口５２Ａ，６２Ａに遊技球が入球しても、一つの共有センサＳＥによって検知することができる。したがって、遊技球が入球口に入球される機会を著しく増やすことで、入賞確率を一段と高め、遊技者の遊技への緊張感を高めることができる。
【００３２】
また、図５及び図６に示すように、第二の実施形態を示す二段式始動入賞装置６０Ｂは、第１入賞部５１Ｂの背面側に、第１揺動誘導片５３Ａ，５３Ａを、通常位置と、前記通常位置より第１入球口５２Ａへの開口を拡張する開放位置とに揺動移動するように作用する第１ソレノイドユニットＳ１を有する。また、二段式始動入賞装置６０Ｂは、第１入球口５２Ａに連続する第１導球路７１２ａと、該第１導球路７１２ａの後端より遊技球を下方へ排出する第１排球孔７１１ａを有する。
第１ソレノイドユニットＳ１の両端には、プランジャに接続された第１揺動部材ＳＡ１，ＳＡ１が下方に突出し、各第１揺動部材ＳＡ１には、連結アーム８１ａの一端が連結されている。この連結アーム８１ａの他端は、第１揺動誘導片５３Ａの回動基端部に接続されている。
【００３３】
一方、第２入賞部６１Ｂの背面側には、第２入賞部６１Ａの背面側に、第２揺動誘導片６３Ａ，６３Ａを、通常位置と、前記通常位置より第２入球口６２Ａへの開口を拡張する開放位置とに揺動移動するように作用する第２ソレノイドユニットＳ２を有する。また、二段式始動入賞装置６０Ｂは、第２入球口６２Ｂに連続する第２導球路７１２ｂと、該第２導球路７１２ｂの後端より下方へ遊技球を排出する第２排球孔７１１ｂを有する。
第２ソレノイドユニットＳ２の両端には、プランジャに接続された第２揺動部材ＳＡ２，ＳＡ２が下方に突出し、各第２揺動部材ＳＡ２には、連結アーム８１ｂの一端が連結されている。この連結アーム８１ｂの他端は、第２揺動誘導片６３Ｂの回動基端部に接続されている。
【００３４】
また、第１入賞部５１Ｂの第１入球口５２Ｂに連続する第１導球路７１２ａの後端に形成された第１排球孔７１１ａと、第２入賞部６１Ｂの第２入球口６２Ｂに連続する第２導球路７１２ｂの後端に形成された第２排球孔７１１ｂとは、互いに鉛直方向整合しない位置に形成されており、第１排球孔７１１ａの出口側には、遊技球の通過を検知する第１センサＳＥ１、また、第２排球孔７１１ｂの出口側には、遊技球の通過を検知する第２センサＳＥ２がそれぞれ設けられている。
【００３５】
本実施形態の二段式始動入賞装置６０Ｂもまた、入球口が二つ設けられているので、第１の実施形態と同様に、始動ゲート６ｉへの入球による抽選は大きく分けて２種類となる。
そして、本実施形態の二段式始動入賞装置６０Ｂは、遊技球の通過を検知するセンサを個々に有するので、第１入賞部５１Ａまたは第２入賞部６１Ａの何れの入球口５２Ａ，６２Ａに遊技球が入球するかによって、入球に起因する画像演出等遊技の制御内容を異なるものとすることができる。したがって、何れか一方のセンサＳＥ１，ＳＥ２のみ、普通図柄変動表示装置２６４ｄの変動開始を許可するようにしたり、特別入賞口６ｄを一定時間開放させたり、他方の入球口の開放を制御したり、これらを交互に設定したりすることができ、遊技者の遊技への興趣性を高めることができる。
【００３６】
次に、本遊技機における遊技制御を行う遊技制御手段の構成について説明する。
図７は、第１入賞部または第２入賞部の何れの入球口に遊技球が入球しても、遊技球の通過を検知する共有センサＳＥが設けられている場合の構成を示すブロック図である。  
（遊技制御手段）
図７において、遊技制御手段２００は、遊技の進行や演出等を含むパチンコ遊技機１００全体を統括制御する手段である。  
遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。
【００３７】
遊技制御手段２００は、遊技盤３の背面側に設けられた制御基板上に設けられている。ここで、遊技制御手段２００は、１つの制御基板上に限らず、複数の制御基板上にわたって設けられていても良い。例えば、主として遊技の進行に直接係わる部分の制御を担当するメイン制御基板と、このメイン制御基板に電気的に接続され、主として演出に係わる部分（画像表示、ランプ類の点灯、及びサウンドの出力等）の制御を担当するサブ制御基板とを設けることが挙げられる。また、メイン制御基板とサブ制御基板とは、中継基板などを介して接続される構成とすることもできる。
本実施形態において遊技制御手段２００は、以下の各手段を備える。
【００３８】
（入賞球検出手段）
入賞球検出手段２１は、始動入球口５２，６２及び特別入賞口６ｄに遊技球が入賞したときに、その入賞を検出するものである。この始動入球口５２，６２には、共有センサＳＥが設けられ、また、特別入賞口６ｄには、特別入賞口センサ６ｄｓが設けられ、それぞれ入賞球検出手段２１に電気的に接続されている。また、共有センサＳＥに代えて、各始動入球口５２，６２に入球した遊技球が移動する導球路７１２ａ，７１２ｂの端部に形成された排球孔７１１ａ，７１１ｂの出口側に、それぞれ排球孔７１１ａ，７１１ｂを通過する遊技球を検知する第１センサＳＥ１または第２センサＳＥ２を個々に設けるようにしても良い。
すなわち、これらの共有センサＳＥまたは第１センサＳＥ１及び第２センサＳＥ２、特別入賞口センサ６ｄｓは、それぞれ本実施形態のパチンコ遊技機１００における遊技球の入賞を検知する遊技球検知センサの１つである。
【００３９】
共有センサＳＥは、第１入賞部５１Ａの第１入球口５２Ａに連続する第１導球路７１２ａの後端に形成された第１排球孔７１１ａと、第２入賞部６１Ａの第２入球口６２Ａに連続する第２導球路７１２ｂの後端に形成された第２排球孔７１１ｂとが互いに鉛直方向整合する位置に形成されており、両排球孔７１１ａ，７１１ｂの共通する出口側に設けられ、始動入球口５２，６２への遊技球の入賞を常時監視しているセンサである。何れか一方の始動入球口５２，６２に遊技球が入賞すると、必ず共有センサＳＥを通過する。これにより、共有センサＳＥから、そのときの検出信号が入賞球検出手段２１に送信される。この検出信号を受信したときに、入賞球検出手段２１は、何れか一方の始動入球口５２，６２に遊技球が入賞したことを検出する。
【００４０】
同様に、特別入賞口センサ６ｄｓは、特別入賞口６ｄの所定位置に設けられ、特別入賞口６ｄへの遊技球の入賞を常時監視しているセンサである。特別入賞口６ｄに遊技球が入賞すると、特別入賞口センサ６ｄｓを通過する。これにより、特別入賞口センサ６ｄｓから、そのときの検出信号が入賞球検出手段２１に送信される。この検出信号を受信したときに、入賞球検出手段２１は、特別入賞口６ｄに遊技球が入賞したことを検出する。この検出信号を受信したときに、入賞球検出手段２１は、特別入賞口６ｄに遊技球が入賞したものとして作動し、後述する抽選手段２２により行われ抽選開始の契機とされる。
【００４１】
また、第１センサＳＥ１及び第２センサＳＥ２も、始動入球口５２，６２への遊技球の入賞を常時監視しているセンサである。したがって、第１入球口５２に遊技球が入賞すると第１センサＳＥ１を通過し、第２入球口６２に遊技球が入賞すると第２センサＳＥ２を通過する。これにより、第１センサＳＥ１または第２センサＳＥ２から、そのときの検出信号が入賞球検出手段２１に送信される。この検出信号を受信したときに、入賞球検出手段２１は、第１入球口５２に遊技球が入賞したか、第２入球口６２に遊技球が入賞したが、確実に検出して作動する。
【００４２】
（抽選手段）
抽選手段２２は、入賞球検出手段２１により、始動入球口５２，６２への遊技球の入賞が検出されたことを条件として、可変表示手段である図柄変動表示装置６ｊに表示する停止図柄に関する抽選を行うものであり、本実施形態では、「１」当選／非当選の有無、「２」図柄変動表示装置６ｊの図柄の変動表示後の停止図柄、及び「３」図柄の変動表示中の変動パターンの抽選を行う。抽選手段２２は、これらの「１」〜「３」の抽選を行うべく、当たり抽選手段２２ａと、停止図柄抽選手段２２ｂと、変動パターン抽選手段２２ｃとを備える。
【００４３】
（当たり抽選手段）
当たり抽選手段２２ａは、本実施形態では、当たり判定用乱数発生手段と、当たり判定用乱数取得手段と、当たり判定手段とを備える。  
当たり判定用乱数発生手段は、制御プログラム等によって所定の周期（例えば、１６ビット乱数による０〜６５５３５の周期）を有する当たり判定用乱数を発生させる。当たり判定用乱数取得手段は、当たり判定用乱数発生手段によって発生した当たり判定用乱数のうち１の当たり判定用乱数を、所定の時、本実施形態では、たとえば共有センサＳＥから送信された検出信号を入賞球検出手段２１が受信した時に取得する。
【００４４】
当たり判定手段は、当たり判定用乱数取得手段により取得された当たり判定用乱数に基づいて、当選であるか非当選であるかを判定する。当たり判定用乱数発生手段が発生させる所定の周期の当たり判定用乱数のうち、当選に該当する乱数が予め定められている。そして、当たり抽選用乱数取得手段により取得された当たり判定用乱数が、当選に該当する乱数と一致する場合には当選と判定し、一致しない場合には非当選と判定する。
ここで、本実施例では、遊技状態が通常遊技状態又は後述する時間短縮遊技状態のときは、当選確率は、１／３２７に設定されている。
これに対し、後述する確率変動遊技状態では、当選確率は、１／５１に設定されている。
【００４５】
（停止図柄抽選手段）
停止図柄抽選手段２２ｂは、当たり抽選手段２２ａの当たり判定手段の判定結果に基づいて、図柄変動表示装置６ｊに停止表示すべき停止図柄を抽選するものである。ここで、当たり抽選手段２２ａの当たり判定手段により、当選と判定された場合には、複数の当選図柄から、いずれか１の当選図柄を抽選によって選択する。
当たり抽選手段２２ａの当たり判定手段により当選と判定された場合に用いられるものとして、停止図柄抽選手段２２ｂは、当選図柄選択用乱数発生手段と、当選図柄選択用乱数取得手段と、当選図柄選択手段とを備える。
【００４６】
当選図柄選択用乱数発生手段は、制御プログラム等によって所定の周期を有する当選図柄選択用乱数を発生させる。そして、当選図柄選択用乱数取得手段は、当選図柄選択用乱数発生手段によって発生した当選図柄選択用乱数のうち１の当選図柄選択用乱数を取得する。次いで、当選図柄選択手段は、当選図柄選択用乱数取得手段で取得した当選図柄選択用乱数に対応する当選図柄を選択する。
【００４７】
本実施形態では、表示部に相当する液晶表示装置６ａの画面に停止表示される識別情報としての停止図柄は、左、中及び右の３図柄（数字）から構成されており、「０００」〜「９９９」までの１０００通り有する。そして、予め定められた３つの図柄の組み合わせを当選図柄（例えば、「７７７」、「３３１」「５３１」など）に設定している。本実施例では、停止図柄抽選手段２２ｂは、当たり抽選手段２２ａの当たり判定手段により当選と判定された場合には、３つの図柄が同じである、「０００」、「１１１」、「２２２」、・・「９９９」までの１０通りの当選図柄のうち、いずれか１を選択するようにする。このような識別情報である図柄は、数字に代表される文字に限らず、記号、図形、又はこれらの組み合わせであってもよい。
なお、本実施形態では、「０００」、「１１１」、「２２２」、・・「９９９」までの１０通りの当選図柄は、全て同一確率で選択される。すなわち、各当選図柄の選択確率は、それぞれ１／１０に設定されている。これにより、当選図柄として奇数図柄（「１１１」、「３３３」等）が選択される確率と、偶数図柄（「０００」、「２２２」等）が選択される確率とは、ともに１／２となる。
【００４８】
ここで、本実施例のパチンコ遊技機１００では、遊技状態として、通常遊技状態、確率変動遊技状態、時間短縮遊技状態の３種類が設けられている。「確率変動遊技状態」とは、液晶表示装置６ａにより停止表示された図柄が当選図柄のうちの奇数図柄（例えば「１１１」）となった場合に、その特別遊技が終了した後の遊技で、次の特別遊技が開始されるまでに設定される遊技状態であって、当選確率が通常遊技状態及び時間短縮遊技状態より高い遊技状態（上述のように、１／５１の当選確率を有する遊技状態）をいう。
【００４９】
また、「時間短縮遊技状態」とは、確率変動遊技状態のときに液晶表示装置６ａにより停止表示された図柄が当選図柄のうちの偶数図柄（例えば「２２２」）となった場合に、その特別遊技の終了後の遊技において、所定遊技回数（例えば１００遊技）間だけ設定される遊技状態をいう。そして、時間短縮遊技状態で所定遊技回数が行われると、時間短縮遊技状態が終了し、通常遊技状態に移行する。
【００５０】
ここで、確率変動遊技状態及び時間短縮遊技状態では、液晶表示装置６ａによる図柄の変動開始から停止表示されるまでの時間が通常遊技状態より短い時間に設定される。
なお、通常遊技状態又は時間短縮遊技状態のときに液晶表示装置６ａにより停止表示された図柄が当選図柄のうちの偶数図柄（例えば「２２２」）となった場合には、その特別遊技が終了した後の遊技は、通常遊技状態となる。通常遊技状態及び時間短縮遊技状態は、上述したように、１／３２７の当選確率を有する遊技状態である。
【００５１】
また、当たり抽選手段２２ａの当たり判定手段により非当選と判定された場合に用いられるものとして、停止図柄抽選手段２２ｂは、非当選図柄選択用乱数発生手段と、非当選図柄選択用乱数取得手段と、非当選図柄選択手段とを備える。
非当選図柄選択用乱数発生手段は、制御プログラム等によって所定の周期を有する非当選図柄選択用乱数を発生させる。そして、非当選図柄選択用乱数取得手段は、非当選図柄選択用乱数発生手段によって発生した非当選図柄選択用乱数のうち１の非当選図柄選択用乱数を取得する。次いで、非当選図柄選択手段は、非当選図柄選択用乱数取得手段で取得した非当選図柄選択用乱数に対応する非当選図柄を選択する。
【００５２】
本実施形態では、非当選と判定された場合には、左図柄、中図柄及び右図柄ごとに、それぞれ独立して上述の非当選図柄選択用乱数発生手段により乱数を取得し、その取得した乱数に基づいて、左図柄、中図柄及び右図柄を選択する。
ここで、停止図柄抽選手段２２ｂは、当たり抽選手段２２ａの当たり判定手段により非当選と判定された場合には、「０００」〜「９９９」までの１０００個の停止図柄のうち、「０００」、「１１１」、・・、「９９９」の１０個の当選図柄とならないように、非当選図柄を選択する。
【００５３】
（変動パターン抽選手段）
変動パターン抽選手段２２ｃは、液晶表示装置６ａに表示すべき図柄の変動パターンを抽選するものである。
変動パターン抽選手段２２ｃは、変動パターン選択用乱数発生手段と、変動パターン選択用乱数取得手段と、変動パターン選択手段とを備える。
変動パターン選択用乱数発生手段は、制御プログラム等によって所定の周期を有する変動パターン選択用乱数を発生させる。そして、変動パターン選択用乱数取得手段は、変動パターン選択用乱数発生手段によって発生した変動パターン選択用乱数のうち１の変動パターン選択用乱数を取得する。次いで、変動パターン選択手段は、変動パターン選択用乱数取得手段で取得した変動パターン選択用乱数と、当たり抽選手段２２ａの当たり判定手段での判定結果に基づいて、複数種類の図柄の変動パターンを記憶したデータテーブルを参照して、いずれか１つの変動パターンを選択する。
【００５４】
本実施形態では、当選時用と非当選時用との２つの（変動パターン選択用の）データテーブルを設けておき、当たり判定手段により当選と判定されたときは、当選時用のデータテーブルを用いて、取得した変動パターン選択用乱数に対応する変動パターンを選択する。同様に、当たり判定手段により非当選と判定されたときは、非当選時用のデータテーブルを用いて、取得した変動パターン選択用乱数に対応する変動パターンを選択する。
ここで、本実施例では、図柄の変動表示の開始時には、３つの図柄の全てを変動表示した後、左図柄、右図柄、中図柄の順に停止表示させ、最終的に、３つの図柄の全てを停止表示する。
【００５５】
このとき、３つの図柄のうち、左図柄及び右図柄が同一であるときには、リーチ状態である旨の表示を行うように制御する。ここで、リーチ状態とは、左図柄及び右図柄が停止し、中図柄が未だ変動表示中の場合に、左図柄と右図柄とが同じ図柄となっている状態をいう。
例えば、選択された停止図柄が「３３３」や「７７７」のように当選図柄であるとき、又は「３１３」や「７８７」のように、左及び右の図柄が同一であるが中図柄が同一でないときには、左及び右の図柄を停止表示させるとともに、中の図柄を変動表示して、リーチ状態である旨を表示する。そして、このような停止図柄が選択されたときには、リーチ状態である旨の表示を行う変動パターンが選択される。この変動パターンには、最終的に当選図柄で停止表示される信頼度が異なる複数の変動パターンが予め設けられている。例えば、当選図柄で停止表示される確率が低い変動パターン１と、当選図柄で停止表示される確率が高い変動パターン２とを設けることが挙げられる。
この場合に、停止図柄抽選手段２２ｂによって当選図柄が選択されたときには、変動パターン抽選手段２２ｃは、変動パターン１よりも変動パターン２の方を高い確率で選択するようにする。
これに対し、停止図柄抽選手段２２ｂによって非当選図柄が選択されたときには、変動パターン抽選手段２２ｃは、変動パターン２よりも変動パターン１の方を高い確率で選択するようにする。
【００５６】
（図柄表示制御手段）
図柄表示制御手段２３は、始動入球口５２，６２への遊技球の入賞により、入賞球検出手段２１が検出信号を受信したことを条件として、液晶表示装置６ａの図柄の変動表示及び停止表示を行うように制御するものである。
図柄表示制御手段２３は、抽選手段２２の抽選結果に基づいて、図柄の変動表示及び停止表示を制御する。すなわち、図柄表示制御手段２３は、停止図柄抽選手段２２ｂによって選択された停止図柄、及び変動パターン抽選手段２２ｃによって選択された変動パターンに従い、図柄の変動表示及び停止表示を行うように制御する。
【００５７】
（特別遊技制御手段）
特別遊技制御手段２４は、当たり抽選手段２２ａの当たり判定用乱数取得手段により取得された当たり判定用乱数が当選の乱数と一致し、図柄変動表示装置６ｊにより停止表示された図柄が当選図柄（例えば「７７７」）となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口６ｄが開放され、遊技球を受け入れ易い状態となることで、それまで以上に賞球の獲得が期待できる遊技である。
特別遊技中は、特別遊技制御手段２４は、特別入賞口６ｄの開放及び閉鎖動作を行うための特別入賞口駆動装置６ｄｄの駆動を制御する。
【００５８】
特別遊技制御手段２４は、特別入賞口駆動装置６ｄｄの駆動を制御して特別入賞口６ｄを開放しつつ、特別入賞口６ｄの開放時間や特別入賞口６ｄに入賞した球数のカウント等を行う。そして、所定の条件を満たしたと判別したときは、特別入賞口６ｄを一旦閉鎖するように特別入賞口駆動装置６ｄｄの駆動を制御する。
【００５９】
そしてまた、再度、特別入賞口６ｄの開放条件を満たすと判別したときは、特別入賞口駆動装置６ｄｄの駆動を制御して特別入賞口６ｄを開放しつつ、特別入賞口６ｄの開放時間や特別入賞口６ｄに入賞した球数のカウント等を行う。
具体的には、特別入賞口６ｄに所定数（例えば１０個）の遊技球が入賞するか、又は所定時間（例えば３０秒間）経過するまで１回の開放状態を維持する。この動作は、所定回数（例えば１５回）まで連続するように設定されている。
【００６０】
尚、これに加えて、以下の構成を含めてもよい。即ち、特別入賞口６ｄ内に設けられた特定領域（開放を継続する権利を獲得するための領域をいう。図示せず。）を通過したときは、再度、上記の開放状態が繰り返される。特別遊技中は、この動作は、特定領域を通過したことを条件として、上記所定回数（例えば１５回）まで連続するように設定されている。特別入賞口６ｄ内の特定領域には、遊技球の通過を検出するためのセンサ（図示せず）が設けられており、そのセンサの検出結果が特別遊技制御手段２４に送信されるように構成されている。
【００６１】
そして、特別遊技制御手段２４は、特別遊技中に、特別遊技の終了条件を満たすか否かを判別し続け、特別遊技の終了条件を満たすと判別したときには、特別遊技を終了するように制御する。
【００６２】
（球搬出制御手段）
球搬出制御手段２５は、賞球の払出し等を行うための球搬出装置２５ｄの駆動を制御するものである。上述したように、共有センサＳＥ及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球をパチンコ遊技機１００の受け皿８に払い出す。
【００６３】
（普通図柄制御手段）
普通図柄制御手段２６は、上述した普通図柄変動表示装置２６４ｄの変動表示及び停止表示を制御するためのものであり、以下の各手段を備える。
【００６４】
（入球検出手段）
入球検出手段２６２は、有効となっている普通図柄始動口６ｉを遊技球が通過したときに、それを検出するものである。
ここで、普通図柄始動口センサ６ｉｓは、普通図柄始動口６ｉの遊技球の通過領域の少なくとも一部に配置されており、普通図柄始動口６ｉの遊技球の通過を常時監視しているセンサである。
普通図柄始動口６ｉを遊技球が通過すると、普通図柄始動口センサ６ｉｓから、そのときの検出信号が入球検出手段２６２に送信される。この検出信号を受信したときに、入球検出手段２６２は、普通図柄始動口６ｉを遊技球が通過したことを検出する。
【００６５】
（普通図柄抽選手段）
普通図柄抽選手段２６３は、有効となっている普通図柄始動口６ｉを遊技球が通過したことを条件として、普通図柄変動表示装置２６４ｄに停止表示すべき図柄を抽選によって決定するものである。
普通図柄抽選手段２６３は、上述した当たり抽選手段２２ａと同様に、当たり判定用乱数発生手段と、当たり判定用乱数値取得手段と、当たり判定手段とを備える。
すなわち、普通図柄抽選手段２６３は、例えばソフトウェア乱数によって所定の周期を有する当たり判定用乱数を発生させ、有効となっている普通図柄始動口６ｉの遊技球の通過時に、当たり判定用乱数値を取得し、その当たり判定用乱数値に基づいて当選であるか非当選であるかを判定する。
【００６６】
さらに、普通図柄抽選手段２６３は、上記の当選であるか非当選であるかの判定結果に基づいて、普通図柄変動表示装置２６４ｄに停止表示すべき図柄を決定する停止図柄決定手段を備える。
普通図柄抽選手段２６３は、取得された当たり判定用乱数値が当選と判定されたときには、停止表示すべき図柄を「７」に決定する。また、普通図柄抽選手段２６３は、取得された当たり判定用乱数値が非当選と判定されたときには、停止表示すべき図柄を「５」又は「６」に決定する。
ここで、「５」又は「６」のいずれの図柄を選択するかは、停止図柄選択用乱数発生手段で停止図柄選択用乱数を発生させ、停止図柄選択用乱数値取得手段で１の停止図柄選択用乱数値を取得する。次いで、取得した停止図柄選択用乱数値に対応する停止図柄（「５」又は「６」のいずれか）を選択する。
【００６７】
また、普通図柄抽選手段２６３は、有効となっている普通図柄始動口６ｉの状態に応じて、すなわち通常確率か高確率かで、当選であるか非当選であるかの判定方法が異なるように制御する。通常確率と高確率とで、ともに普通図柄始動口６ｉの遊技球の通過時に当たり判定用乱数値を取得する点は同じであるが、当選確率が異なるようにする。本実施例では、通常確率では１／２の確率で当選となるように設定され、高確率では９／１０の確率で当選となるように設定されている。すなわち、通常確率時及び高確率時は、それぞれ、取得される当たり判定用乱数値のうち１／２、及び９／１０が当選と判定される乱数値となる。
【００６８】
（普通図柄変動制御手段）
普通図柄変動制御手段２６４は、普通図柄始動口６ｉを遊技球が通過したときに、普通図柄抽選手段２６３の抽選結果に基づいて、普通図柄変動表示装置２６４ｄの図柄の変動表示及び停止表示を行うように制御するものである。
普通図柄変動制御手段２６４は、普通図柄変動表示装置２６４ｄの図柄を所定時間変化させた後、最終的には、普通図柄抽選手段２６３によって決定された図柄を普通図柄変動表示装置２６４ｄに停止表示させる。
【００６９】
（球誘導装置制御手段）
球誘導装置制御手段２６５は、普通図柄抽選手段２６３の抽選結果に基づいて、何れか一方もしくは両方の球誘導装置２６５ｄａ，２６５ｄｂの作動を制御するものである。具体的には、普通図柄抽選手段２６３による抽選で当選したときには、当選の種類によって第１球誘導装置２６５ｄａだけを作動させたり、第２球誘導装置２６５ｄｂだけを作動させたり、これら両方の球誘導装置２６５ｄａ，２６５ｄｂを作動させたりするように制御する。これとは逆に、普通図柄抽選手段２６３による抽選で非当選であったときは、何れの球誘導装置２６５ｄａ，２６５ｄｂも作動させない。
作動させる時期としては、普通図柄変動表示装置２６４ｄの図柄が所定時間変動し、普通図柄抽選手段２６３によって決定された図柄が普通図柄変動表示装置２６４ｄに停止表示された直後である。
普通図柄抽選手段２６３による抽選で当選したときには、普通図柄変動表示装置２６４ｄには、最終的に「７」の図柄が停止表示される。その直後に、球誘導装置制御手段２６５は、球誘導装置２６５ｄを作動させて、何れか一方もしくは両方の始動入球口５２，６２の端部（入口部分）の揺動誘導部材（所謂電動チューリップ）５３，６３を拡張させる。
【００７０】
また、本実施形態では、普通図柄変動制御手段２６４は、遊技状態に応じて、普通図柄変動表示装置２６４ｄの図柄の変動時間を変化させるように制御する。
先ず、通常遊技状態では、普通図柄変動表示装置２６４ｄによる図柄の変動が開始されてから停止するまでの時間を３０秒に設定する。そして、普通図柄抽選手段２６３の抽選で当選したときに、球誘導装置制御手段２６５は、たとえば球誘導装置２６５ｄａ，２６５ｄｂを作動させる時間を０．５秒に設定する。
すなわち、３０秒間、普通図柄変動表示装置２６４ｄによる図柄の変動表示が行われ、図柄が停止表示された後、当選時には、０．５秒間、球誘導装置２６５ｄａ，２６５ｄｂが作動して、始動入球口５２，６２に遊技球が入賞しやすくなる状態が形成される。
【００７１】
これに対し、確率変動遊技状態及び時間短縮遊技状態では、普通図柄変動制御手段２６４は、普通図柄変動表示装置２６４ｄによる図柄の変動が開始されてから停止するまでの時間を５秒に設定する。そして、普通図柄抽選手段２６３の抽選で当選したときに、球誘導装置制御手段２６５は、たとえば球誘導装置２６５ｄａ，２６５ｄｂを作動させる時間を３秒に設定する。
すなわち、５秒間、普通図柄変動表示装置２６４ｄによる図柄の変動表示が行われ、図柄が停止表示された後、当選時には、３秒間、球誘導装置２６５ｄａ，２６５ｄｂが作動して、始動入球６２に遊技球が入賞しやすくなる状態が形成される。なお、普通図柄変動表示装置２６４ｄによる図柄変動表示に対しても、前述した横断位置選択手段２２ｄを用いることも可能である。
【００７２】
また、本発明の二段式始動入賞装置６０は、第１入賞部５１と第２入賞部６１とをそれぞれ一つずつ備える構成に限らず、たとえば、図８に示すように構成することも出来る。図８は、本発明のパチンコ遊技機に備える二段式始動入賞装置の第二の実施形態を示す斜視概略図である。
本実施形態の二段式始動入賞装置６０Ｃは、図８に示すように、第１入賞部５１を一つと、当該第１入賞部５１よりも鉛直方向下方に、二つの第２入賞部６１を並列して設ける点で、上記実施形態とは異なる。
このように、第１入賞部５１の鉛直方向下方に、第２入賞部６１を二つ並列して設けることにより、第１入賞部５１と第２入賞部６１が一つずつ備えられた場合とは異なった遊技球の入球口への流下経路を形成し、遊技球が入球口に入球される機会をより一層増やすことができ、今までにない斬新な遊技を楽しむようにすることもできる。
【図面の簡単な説明】
【００７３】
【図１】本発明のパチンコ遊技機の全体斜視図である。
【図２】本発明のパチンコ遊技機に備える二段式始動入賞装置の第一の実施形態を示す斜視概略図である。
【図３】[図２]に示す二段式始動入賞装置の第１の構成を示す側面概略図である。
【図４】[図２]に示す二段式始動入賞装置の第１の構成を示す平面概略図である。
【図５】[図２]に示す二段式始動入賞装置の第２の構成を示す側面概略図である。
【図６】[図２]に示す二段式始動入賞装置の第２の構成を示す平面概略図である。
【図７】本発明のパチンコ遊技機における遊技制御手段の構成を示すブロック図である。
【図８】本発明のパチンコ遊技機に備える二段式始動入賞装置の第二の実施形態を示す斜視概略図である。
【符号の説明】
【００７４】
Ｓ１・・・第１ソレノイドユニット、Ｓ２・・・第２ソレノイドユニット、ＳＡ１・・・第１揺動部材、ＳＡ２・・・第２揺動部材、ＳＥ・・・共有センサ、ＳＥ１・・・第１センサ、ＳＥ２・・・第２センサ、１・・・外枠、２・・・前枠、２Ａ・・・覆い部材、３・・・遊技盤、３ａ・・・盤面、４・・・施錠装置、６・・・遊技領域、  ６ａ・・・液晶表示装置（表示部）、６ｄ・・・特別入賞口、６ｉ・・・普通図柄始動口（始動ゲート）、３１・・・ステージ入球口、３２・・・ステージ、３３・・・凹部、３４・・・ステージ排球口、５１・・・第１入賞部、５２・・・第１入球口、５３・・・第１揺動誘導片、６０（Ａ，Ｂ，Ｃ）・・・二段式始動入賞装置、６１（Ａ，Ｂ）・・・第２入賞部、６２（Ａ，Ｂ）・・・第２入球口、６３（Ａ，Ｂ）・・・第２揺動誘導片、８１ａ・・・第１連結アーム、８１ｂ・・・第２連結アーム、１００・・・パチンコ遊技機、７１１ａ・・・第１排球孔、７１１ｂ・・・第２排球孔、７１２ａ・・・第１導球路、７１２ｂ・・・第２導球路。
【図１】
2007097734.tif 000003
【図２】
2007097734.tif 000004
【図３】
2007097734.tif 000005
【図４】
2007097734.tif 000006
【図５】
2007097734.tif 000007
【図６】
2007097734.tif 000008
【図７】
2007097734.tif 000009
【図８】
2007097734.tif 000010